(57)【特許請求の範囲】
【請求項１】
給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器と、非給湯側循環通路の熱媒体の温度を検出する非給湯側温度検出手段とを有し、上記給湯熱交換器と非給湯側熱交換器は一体化され、上記給湯熱交換器と非給湯側熱交換器を共通に加熱するバーナーが設けられ、給湯が行われず非給湯側の運転のみを行う非給側単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温が上記バーナー燃焼を再開させる設定温度以下になったときにはバーナーの燃焼を再開させる非給湯側単独運転燃焼制御機能を備えた一缶二水路給湯器であって、非給湯側単独運転中の給湯熱交換器の湯温データと非給湯側循環通路の熱媒体の温度に基づいて非給湯側循環通路の熱媒体の流量を求める流量検出データが予め与えられており、該流量検出データと非給湯側単独運転中の上記給湯熱交換器湯温検出手段の検出温度と上記非給湯側温度検出手段の検出温度とに基づいて上記非給湯側循環通路の熱媒体の循環流量を検出する非給湯側循環流量検出手段と、上記給湯熱交換器から流れ出る湯の温度を検出する流出湯温検出手段と、給湯熱交換器の通水流量を直接的に又は間接的に検出する流量検出センサにより構成される流量検出手段と、非給湯側単独運転中に上記流量検出手段が流水オフを検出し、上記給湯熱交換器湯温検出手段の検出温度に対して上記流出湯温検出手段の検出温度が予め定められた温度以上高いことを検出したときには上記流量検出手段によって検出できない微量の漏れ給湯が生じていることを示す漏れ給湯発生信号を出力する漏れ給湯検出部とを有し、該漏れ給湯検出部から漏れ給湯発生信号が出力されたときには該漏れ給湯検出部により漏れ給湯が検出される前の非給湯側単独運転中に上記非給湯側循環流量検出手段が検出した流量を非給湯側循環通路の熱媒体の循環流量として決定する非給湯側循環流量決定手段が設けられていることを特徴とする一缶二水路給湯器。
【請求項２】
給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器と、非給湯側循環通路の熱媒体の温度を検出する非給湯側温度検出手段とを有し、上記給湯熱交換器と非給湯側熱交換器は一体化され、上記給湯熱交換器と非給湯側熱交換器を共通に加熱するバーナーが設けられ、給湯が行われず非給湯側の運転のみを行う非給湯側単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる非給湯側単独運転燃焼制御機能を備えた一缶二水路給湯器であって、非給湯側単独運転中の給湯熱交換器の湯温データと非給湯側循環通路の熱媒体の温度に基づいて非給湯側循環通路の熱媒体の流量を求める流量検出データが予め与えられており、該流量検出データと非給湯側単独運転中の上記給湯熱交換器湯温検出手段の検出温度と上記非給湯側温度検出手段の検出温度とに基づいて上記非給湯側循環通路の熱媒体の循環流量を検出する非給湯側循環流量検出手段と、上記給湯熱交換器から流れ出る湯の温度を検出する流出湯温検出手段と、給湯熱交換器の通水流量を直接的に又は間接的に検出する流量検出センサにより構成される流量検出手段と、非給湯側単独運転中に上記流量検出手段が流水オフを検出し、上記給湯熱交換器湯温検出手段の検出温度に対して上記流出湯温検出手段の検出温度が予め定められた温度以上高いことを検出したときには上記流量検出手段によって検出できない微量の漏れ給湯が生じていることを示す漏れ給湯発生信号を出力する漏れ給湯検出部とを有し、該漏れ給湯検出部から漏れ給湯発生信号が出力されたときには該漏れ給湯検出部により漏れ給湯が検出される前の非給湯側単独運転中に上記非給湯側循環流量検出手段が検出した流量を非給湯側循環通路の熱媒体の循環流量として決定する非給湯側循環流量決定手段が設けられていることを特徴とする一缶二水路給湯器。
【請求項３】
給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器と、非給湯側循環通路の熱媒体の温度を検出する非給湯側温度検出手段とを有し、上記給湯熱交換器と非給湯側熱交換器は一体化され、上記給湯熱交換器と非給湯側熱交換器を共通に加熱するバーナーが設けられ、給湯が行われず非給湯側の運転のみを行う非給側単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温が上記バーナー燃焼を再開させる設定温度以下になったときにはバーナーの燃焼を再開させる非給湯側単独運転燃焼制御機能を備えた一缶二水路給湯器であって、非給湯側単独運転中の給湯熱交換器の湯温データと非給湯側循環通路の熱媒体の温度に基づいて非給湯側循環通路の熱媒体の流量を求める流量検出データが予め与えられており、該流量検出データと非給湯側単独運転中の上記給湯熱交換器湯温検出手段の検出温度と上記非給湯側温度検出手段の検出温度とに基づいて上記非給湯側循環通路の熱媒体の循環流量を検出する非給湯側循環流量検出手段と、上記給湯熱交換器から流れ出る湯の温度を検出する流出湯温検出手段と、給湯熱交換器の通水流量を直接的に又は間接的に検出する流量検出センサにより構成される流量検出手段とを有し、上記給湯熱交換器湯温検出手段の検出温度と上記流出湯温検出手段の検出温度との温度差に基づき上記漏れ給湯流量を求めるための漏れ給湯流量検出データが予め与えられ、非給湯側単独運転中に上記流量検出手段が流水オフを検出している状態で検出される上記流出湯温検出手段の検出温度と上記給湯熱交換器湯温検出手段の検出温度の温度差と上記漏れ給湯流量検出データとに基づいて上記漏れ給湯流量を検出する漏れ給湯流量検出手段を有し、漏れ給湯流量に基づいて非給湯側循環通路の熱媒体の循環流量を補正する補正データが予め与えられ、該補正データと上記給湯側漏れ流量検出手段の検出データとに基づいて上記非給湯側循環流量検出手段で検出した非給湯側循環通路の熱媒体の循環流量を補正する循環流量補正手段が設けられていることを特徴とする一缶二水路給湯器。
【請求項４】
給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器と、非給湯側循環通路の熱媒体の温度を検出する非給湯側温度検出手段とを有し、上記給湯熱交換器と非給湯側熱交換器は一体化され、上記給湯熱交換器と非給湯側熱交換器を共通に加熱するバーナーが設けられ、給湯が行われず非給湯側の運転のみを行う非給湯側単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる非給湯側単独運転燃焼制御機能を備えた一缶二水路給湯器であって、非給湯側単独運転中の給湯熱交換器の湯温データと非給湯側循環通路の熱媒体の温度に基づいて非給湯側循環通路の熱媒体の流量を求める流量検出データが予め与えられており、該流量検出データと非給湯側単独運転中の上記給湯熱交換器湯温検出手段の検出温度と上記非給湯側温度検出手段の検出温度とに基づいて上記非給湯側循環通路の熱媒体の循環流量を検出する非給湯側循環流量検出手段と、上記給湯熱交換器から流れ出る湯の温度を検出する流出湯温検出手段と、給湯熱交換器の通水流量を直接的に又は間接的に検出する流量検出センサにより構成される流量検出手段とを有し、上記給湯熱交換器湯温検出手段の検出温度と上記流出湯温検出手段の検出温度との温度差に基づき上記漏れ給湯流量を求めるための漏れ給湯流量検出データが予め与えられ、非給湯側単独運転中に上記流量検出手段が流水オフを検出している状態で検出される上記流出湯温検出手段の検出温度と上記給湯熱交換器湯温検出手段の検出温度の温度差と上記漏れ給湯流量検出データとに基づいて上記漏れ給湯流量を検出する漏れ給湯流量検出手段を有し、漏れ給湯流量に基づいて非給湯側循環通路の熱媒体の循環流量を補正する補正データが予め与えられ、該補正データと上記給湯側漏れ流量検出手段の検出データとに基づいて上記非給湯側循環流量検出手段で検出した非給湯側循環通路の熱媒体の循環流量を補正する循環流量補正手段が設けられていることを特徴とする一缶二水路給湯器。
【請求項５】
循環流量補正手段で補正した非給湯側循環通路の熱媒体の循環流量を補正循環流量とし、該補正循環流量を漏れ給湯が検出される前の非給湯側単独運転中に非給湯側循環流量検出手段で検出した非給湯側循環通路の熱媒体の循環流量検出値と比較して該循環流量検出値と上記補正循環流量との差が予め与えられた流量差以内のときには該補正循環流量を上記非給湯側循環通路の熱媒体の循環流量として決定する非給湯側循環流量決定手段が設けられていることを特徴とする請求項３又は請求項４記載の一缶二水路給湯器。
【請求項６】
非給湯側単独運転中に、流量検出手段が流水オフを検出し、給湯熱交換器湯温検出手段の検出温度に対して流出湯温検出手段の検出温度が予め定められた温度以上高いことを検出したときには上記流量検出手段によって検出できない微量の漏れ給湯が生じていることを示す漏れ給湯発生信号を出力する漏れ給湯検出部を有し、循環流量補正手段は該漏れ給湯検出部から漏れ給湯発生信号が出力されたときには該漏れ給湯検出部により漏れ給湯が検出される前に非給湯側循環流量検出手段で検出した非給湯側循環通路の熱媒体の循環流量を予め与えられた補正データと給湯側漏れ流量検出手段の検出データとに基づいて補正する構成としたことを特徴とする請求項３又は請求項４記載の一缶二水路給湯器。
【請求項７】
非給湯側循環通路は追い焚き循環通路とし、非給湯側熱交換器は追い焚き熱交換器とし、上記追い焚き循環通路を循環する熱媒体は湯水とし、非給湯側の運転は風呂の追い焚き運転としたことを特徴とする請求項１乃至請求項６のいずれか１つに記載の一缶二水路給湯器。
【発明の詳細な説明】
【０００１】
【発明の属する技術分野】
本発明は、給湯熱交換器と追い焚き熱交換器等の非給湯側熱交換器が一体化され、その一体化した熱交換器を共通のバーナーで加熱する一缶二水路給湯器に関するものである。
【０００２】
【従来の技術】
図９には本出願人らが開発している一缶二水路給湯器の一例である一缶二水路風呂給湯器のシステム構成例が示されている。同図において、この一缶二水路風呂給湯器（器具）は燃焼室１を有し、この燃焼室１にはバーナー２が配設され、このバーナー２の上方には給湯熱交換器３と非給湯側熱交換器としての追い焚き熱交換器４が設けられている。これら給湯熱交換器３と追い焚き熱交換器４は一体化されて配設されている。すなわち、複数の共通のフィンプレート５に給湯側の管路を貫通装着して給湯熱交換器３と成し、同じくフィンプレート５に追い焚き側の管路を貫通装着して追い焚き熱交換器４と成しており、上記バーナー２は給湯熱交換器３と追い焚き熱交換器４を共に加熱する構成になっている。
【０００３】
上記バーナー２の下方側の燃焼室１は給気通路６に連通され、この給気通路６には燃焼ファン７が組み込まれており、燃焼ファン７の回転駆動により外部から給気通路６を介してバーナー２へ空気が送り込まれると共に、バーナー２の燃焼により生じた排気ガスがバーナー２の上方の燃焼室１に連通する排気通路９から外部へ排出される。
【０００４】
上記バーナー２のガス導入口にはガスノズル１９が対向配設され、このガスノズル１９には燃料ガスを導入するためのガス供給通路８が接続されており、このガス供給通路８により導かれた燃料ガスはガスノズル１９を介してバーナー２に供給される。また、上記ガス供給通路８には通路の開閉を行う電磁弁１０，１１ａ，１１ｂと、ガスの供給量を開弁量により制御する比例弁１２とが介設されている。
【０００５】
前記給湯熱交換器３の入側には給水通路１３の一端側が接続され、給湯熱交換器３の出側には給湯通路１４の一端側が接続されており、上記給水通路１３の他端側は外部配管を介して水供給源に接続され、前記給湯通路１４の他端側は外部配管を介して台所等の所望の給湯場所に導かれている。また、上記給湯熱交換器３の入側の給水通路１３と出側の給湯通路１４を短絡するバイパス通路１５が設けられており、上記バイパス通路１５には通路の開閉を行うバイパス弁１６が介設されている。
【０００６】
前記追い焚き熱交換器４の入側には管路１８の一端側が接続され、この管路１８の他端側は循環ポンプ２０の吐出口に接続されており、循環ポンプ２０の吸入口には戻り管２１の一端側が接続され、戻り管２１の他端側は浴槽２２に連接されている。また、追い焚き熱交換器４の出側には管路２３の一端側が接続されており、この管路２３の他端側は前記浴槽２２に連接されている。上記戻り管２１と循環ポンプ２０と管路１８と追い焚き熱交換器４と管路２３により非給湯側循環通路としての追い焚き循環通路２４が構成される。
【０００７】
上記追い焚き循環通路２４の管路１８と前記給湯通路１４は湯張り通路２５により連通されており、この湯張り通路２５には通路の開閉を制御する注湯制御弁２６と、浴槽２２の水位を検出する水位センサ２８とが設けられている。
【０００８】
なお、図中に示す３０は燃焼室１内の風量を検出する風量センサであり、３１は給水通路１３に設けられて給水の流量を検出することにより給湯熱交換器３の通水流量を直接的に検出する流量検出センサとしての水量センサであり、３２は給水通路１３の水の温度を検出する入水温度センサであり、３４は給湯通路１４に設けられて通水流量を制御する流量制御弁であり、３５は給湯通路１４に設けられて給湯が行われていることを水流により検出する給湯確認スイッチであり、３６は追い焚き循環通路２４の水流の有無を検出する流水スイッチであり、３７は追い焚き循環通路２４を循環する熱媒体である湯水の温度を浴槽湯水の温度（風呂温度）として検出する非給湯側温度検出手段としての風呂温度センサであり、３８は給湯熱交換器３で作り出された給湯の出湯温度を検出する給湯出湯温度検出手段としての出湯温度センサである。
【０００９】
この一缶二水路風呂給湯器には制御装置４０が設けられており、この制御装置４０にはリモコン４１が接続されている。このリモコン４１には給湯温度を設定するための給湯温度設定手段や、浴槽２２の風呂の温度を設定する風呂温度設定手段や、浴槽２２の湯水の水位を設定する風呂水位設定手段等が設けられている。
【００１０】
上記制御装置４０は各種センサのセンサ出力信号やリモコン４１の情報を取り込み、それら情報と予め与えられているシーケンスプログラムに従って、給湯運転や、湯張り運転や、追い焚き運転等の各種の器具運転の動作を次のように制御する。
【００１１】
例えば、台所等に導かれた給湯通路の水栓が開けられ、水供給源から給水通路１３に水が流れ込んで水量センサ３１が給水通路１３の通水を検出すると、器具は給湯運転を開始する。まず、燃焼ファン７の回転駆動を開始させ、電磁弁１１ａ，１１ｂの両方又はどちらか一方と電磁弁１０を開動作させガス供給通路８を通してバーナー２に燃料ガスを供給し、図示されていない点着火手段によりバーナー２の点着火を行い燃焼を開始させる。
【００１２】
そして、給湯湯温が前記給湯温度設定手段に設定されている給湯設定温度となるように比例弁１２の開弁量を制御して（バーナー２への供給ガス量を制御して）バーナー２の燃焼能力を制御し、給湯熱交換器３の通水をバーナー２の燃焼火炎により加熱して設定温度の湯を作り出し、この湯を給湯通路１４を通して給湯場所に供給する。
【００１３】
湯の使用が終了して水栓が閉められると、給湯熱交換器３への通水が停止し、水量センサ３１が給水通路１３の通水を検知しなくなったときに、電磁弁１０を閉じてバーナー２の燃焼を停止させる。その後、予め定められたポストパージ期間（例えば、５分間）が経過したときに、燃焼ファン７の回転駆動を停止して給湯運転を終了し次の給湯に備える。
【００１４】
湯張り運転を行うときには、例えば、注湯制御弁２６を開弁し、この注湯制御弁２６の開弁動作により水供給源から給水通路１３に水が流れ込んで水量センサ３１が給水通路１３の通水を検知すると、上記給湯運転と同様にバーナー２の燃焼を開始させる。
【００１５】
このバーナー２の燃焼火炎により給湯熱交換器３で作り出された湯は給湯通路１４と湯張り通路２５を順に介して追い焚き循環通路２４に送り込まれ、追い焚き循環通路２４に流れ込んだ湯は戻り管２１を通る経路と追い焚き熱交換器４を通る経路との２経路で浴槽２２に落とし込まれる。そして、水位センサ２８が検出する浴槽２２の水位がリモコン４１に設定されている設定水位に達したときに、注湯制御弁２６を閉じ、電磁弁１０を閉じてバーナー２の燃焼を停止させ、湯張り運転を終了する。
【００１６】
追い焚き運転を行うときには、循環ポンプ２０を駆動させて熱媒体としての浴槽２２内の湯水を追い焚き循環通路２４を通して循環させ、流水スイッチ３６によって追い焚き循環通路２４の湯水の流れを検知した後、バーナー２の燃焼を開始させる。そして、バーナー２の燃焼火炎により追い焚き熱交換器４の循環湯水を加熱して追い焚きを行い、風呂温度センサ３７により検出される風呂温度が前記風呂温度設定手段により設定されている設定温度に達したときに、バーナー２の燃焼を停止させ、追い焚き運転を終了する。
【００１７】
前記の如く、一缶二水路風呂給湯器は、一体化された給湯熱交換器３と追い焚き熱交換器４を共通のバーナー２を用いて加熱する方式であるので、別体に設けられた給湯熱交換器と追い焚き熱交換器をそれぞれ別個のバーナーを用いて燃焼加熱する方式に比べて、装置構成の簡易化が図れ、これに伴い、装置の小型化とコストの低減が図れることになる。
【００１８】
また、図１０には、一缶二水路給湯器としての給湯暖房機の一例が示されており、同図において、図９の一缶二水路風呂給湯器と同一名称部分には同一符号が付してある。また、図１０中、５７は非給湯側熱交換器としての暖房用熱交換器を示しており、５２は暖房オン・オフバルブ、５３は放熱器、５４はファン、５５はシスターンタンク、５６はバイパス通路をそれぞれ示している。暖房用循環通路５１を循環する熱媒体としては、例えば、エチレングリコールとプロピレングリコールに水を加えたものが用いられる。
【００１９】
【発明が解決しようとする課題】
ところで、一缶二水路風呂給湯器において、追い焚き運転を行うときには、従来は、前記の如く、循環ポンプ２０の駆動により浴槽２２内の湯水を追い焚き循環通路２４を通して循環させて、この湯水の流れを流水スイッチ３６によって検知した後、バーナー２の燃焼を開始させているが、追い焚き循環通路２４を通る浴槽湯水には髪等のゴミが多く含まれており、流水スイッチ３６に髪等のゴミが絡み付き、故障することがよくあるために、できれば流水スイッチ３６を用いずに追い焚き循環通路２４の湯水の流れを検知したいといった要求があった。
【００２０】
また、上記のような一缶二水路タイプの風呂給湯器においては、例えば、追い焚き熱交換器４側と給湯熱交換器３側の吸熱比率に基づいて、給湯と風呂の追い焚きの同時燃焼時の燃焼制御が行われるために、追い焚き循環通路２４を通る湯水の循環流量を検出したいといった要求があり、追い焚き循環通路２４の湯水循環流量をボール式水量センサにより測定する方法等が以前に提案されているが、このようなセンサは、前記流水スイッチ３６と同様に、浴槽湯水中のゴミが絡み付くと故障し易く、測定される浴槽湯水の循環流量が不正確な値になりがちであった。
【００２１】
本発明は上記課題を解決するためになされたものであり、その目的は、追い焚き循環通路の湯水の流れの有無、および循環流量を正確に検出することができる一缶二水路風呂給湯器を提供し、さらには、非給湯側循環通路の熱媒体の流れの有無、および循環流量を正確に検出することができる一缶二水路給湯器を提供することにある。
【００２２】
【課題を解決するための手段】
上記目的を達成するために、本発明は次のような構成をもって課題を解決するための手段としている。すなわち、本第１の発明は、給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器と、非給湯側循環通路の熱媒体の温度を検出する非給湯側温度検出手段とを有し、上記給湯熱交換器と非給湯側熱交換器は一体化され、上記給湯熱交換器と非給湯側熱交換器を共通に加熱するバーナーが設けられ、給湯が行われず非給湯側の運転のみを行う非給側単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温が上記バーナー燃焼を再開させる設定温度以下になったときにはバーナーの燃焼を再開させる非給湯側単独運転燃焼制御機能を備えた一缶二水路給湯器であって、非給湯側単独運転中の給湯熱交換器の湯温データと非給湯側循環通路の熱媒体の温度に基づいて非給湯側循環通路の熱媒体の流量を求める流量検出データが予め与えられており、該流量検出データと非給湯側単独運転中の上記給湯熱交換器湯温検出手段の検出温度と上記非給湯側温度検出手段の検出温度とに基づいて上記非給湯側循環通路の熱媒体の循環流量を検出する非給湯側循環流量検出手段と、上記給湯熱交換器から流れ出る湯の温度を検出する流出湯温検出手段と、給湯熱交換器の通水流量を直接的に又は間接的に検出する流量検出センサにより構成される流量検出手段と、非給湯側単独運転中に上記流量検出手段が流水オフを検出し、上記給湯熱交換器湯温検出手段の検出温度に対して上記流出湯温検出手段の検出温度が予め定められた温度以上高いことを検出したときには上記流量検出手段によって検出できない微量の漏れ給湯が生じていることを示す漏れ給湯発生信号を出力する漏れ給湯検出部とを有し、該漏れ給湯検出部から漏れ給湯発生信号が出力されたときには該漏れ給湯検出部により漏れ給湯が検出される前の非給湯側単独運転中に上記非給湯側循環流量検出手段が検出した流量を非給湯側循環通路の熱媒体の循環流量として決定する非給湯側循環流量決定手段が設けられている構成をもって課題を解決するための手段としている。
【００２３】
また、本第２の発明は、給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器と、非給湯側循環通路の熱媒体の温度を検出する非給湯側温度検出手段とを有し、上記給湯熱交換器と非給湯側熱交換器は一体化され、上記給湯熱交換器と非給湯側熱交換器を共通に加熱するバーナーが設けられ、給湯が行われず非給湯側の運転のみを行う非給湯側単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる非給湯側単独運転燃焼制御機能を備えた一缶二水路給湯器であって、非給湯側単独運転中の給湯熱交換器の湯温データと非給湯側循環通路の熱媒体の温度に基づいて非給湯側循環通路の熱媒体の流量を求める流量検出データが予め与えられており、該流量検出データと非給湯側単独運転中の上記給湯熱交換器湯温検出手段の検出温度と上記非給湯側温度検出手段の検出温度とに基づいて上記非給湯側循環通路の熱媒体の循環流量を検出する非給湯側循環流量検出手段と、上記給湯熱交換器から流れ出る湯の温度を検出する流出湯温検出手段と、給湯熱交換器の通水流量を直接的に又は間接的に検出する流量検出センサにより構成される流量検出手段と、非給湯側単独運転中に上記流量検出手段が流水オフを検出し、上記給湯熱交換器湯温検出手段の検出温度に対して上記流出湯温検出手段の検出温度が予め定められた温度以上高いことを検出したときには上記流量検出手段によって検出できない微量の漏れ給湯が生じていることを示す漏れ給湯発生信号を出力する漏れ給湯検出部とを有し、該漏れ給湯検出部から漏れ給湯発生信号が出力されたときには該漏れ給湯検出部により漏れ給湯が検出される前の非給湯側単独運転中に上記非給湯側循環流量検出手段が検出した流量を非給湯側循環通路の熱媒体の循環流量として決定する非給湯側循環流量決定手段が設けられている構成をもって課題を解決するための手段としている。
【００２４】
さらに、本第３の発明は、給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器と、非給湯側循環通路の熱媒体の温度を検出する非給湯側温度検出手段とを有し、上記給湯熱交換器と非給湯側熱交換器は一体化され、上記給湯熱交換器と非給湯側熱交換器を共通に加熱するバーナーが設けられ、給湯が行われず非給湯側の運転のみを行う非給側単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温が上記バーナー燃焼を再開させる設定温度以下になったときにはバーナーの燃焼を再開させる非給湯側単独運転燃焼制御機能を備えた一缶二水路給湯器であって、非給湯側単独運転中の給湯熱交換器の湯温データと非給湯側循環通路の熱媒体の温度に基づいて非給湯側循環通路の熱媒体の流量を求める流量検出データが予め与えられており、該流量検出データと非給湯側単独運転中の上記給湯熱交換器湯温検出手段の検出温度と上記非給湯側温度検出手段の検出温度とに基づいて上記非給湯側循環通路の熱媒体の循環流量を検出する非給湯側循環流量検出手段と、上記給湯熱交換器から流れ出る湯の温度を検出する流出湯温検出手段と、給湯熱交換器の通水流量を直接的に又は間接的に検出する流量検出センサにより構成される流量検出手段とを有し、上記給湯熱交換器湯温検出手段の検出温度と上記流出湯温検出手段の検出温度との温度差に基づき上記漏れ給湯流量を求めるための漏れ給湯流量検出データが予め与えられ、非給湯側単独運転中に上記流量検出手段が流水オフを検出している状態で検出される上記流出湯温検出手段の検出温度と上記給湯熱交換器湯温検出手段の検出温度の温度差と上記漏れ給湯流量検出データとに基づいて上記漏れ給湯流量を検出する漏れ給湯流量検出手段を有し、漏れ給湯流量に基づいて非給湯側循環通路の熱媒体の循環流量を補正する補正データが予め与えられ、該補正データと上記給湯側漏れ流量検出手段の検出データとに基づいて上記非給湯側循環流量検出手段で検出した非給湯側循環通路の熱媒体の循環流量を補正する循環流量補正手段が設けられている構成をもって課題を解決するための手段としている。
【００２５】
さらに、本第４の発明は、給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器と、非給湯側循環通路の熱媒体の温度を検出する非給湯側温度検出手段とを有し、上記給湯熱交換器と非給湯側熱交換器は一体化され、上記給湯熱交換器と非給湯側熱交換器を共通に加熱するバーナーが設けられ、給湯が行われず非給湯側の運転のみを行う非給湯側単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる非給湯側単独運転燃焼制御機能を備えた一缶二水路給湯器であって、非給湯側単独運転中の給湯熱交換器の湯温データと非給湯側循環通路の熱媒体の温度に基づいて非給湯側循環通路の熱媒体の流量を求める流量検出データが予め与えられており、該流量検出データと非給湯側単独運転中の上記給湯熱交換器湯温検出手段の検出温度と上記非給湯側温度検出手段の検出温度とに基づいて上記非給湯側循環通路の熱媒体の循環流量を検出する非給湯側循環流量検出手段と、上記給湯熱交換器から流れ出る湯の温度を検出する流出湯温検出手段と、給湯熱交換器の通水流量を直接的に又は間接的に検出する流量検出センサにより構成される流量検出手段とを有し、上記給湯熱交換器湯温検出手段の検出温度と上記流出湯温検出手段の検出温度との温度差に基づき上記漏れ給湯流量を求めるための漏れ給湯流量検出データが予め与えられ、非給湯側単独運転中に上記流量検出手段が流水オフを検出している状態で検出される上記流出湯温検出手段の検出温度と上記給湯熱交換器湯温検出手段の検出温度の温度差と上記漏れ給湯流量検出データとに基づいて上記漏れ給湯流量を検出する漏れ給湯流量検出手段を有し、漏れ給湯流量に基づいて非給湯側循環通路の熱媒体の循環流量を補正する補正データが予め与えられ、該補正データと上記給湯側漏れ流量検出手段の検出データとに基づいて上記非給湯側循環流量検出手段で検出した非給湯側循環通路の熱媒体の循環流量を補正する循環流量補正手段が設けられている構成をもって課題を解決するための手段としている。
【００２６】
さらに、本第５の発明は、上記本第３又は第４の発明の構成に加え、上記循環流量補正手段で補正した非給湯側循環通路の熱媒体の循環流量を補正循環流量とし、該補正循環流量を漏れ給湯が検出される前の非給湯側単独運転中に非給湯側循環流量検出手段で検出した非給湯側循環通路の熱媒体の循環流量検出値と比較して該循環流量検出値と上記補正循環流量との差が予め与えられた流量差以内のときには該補正循環流量を上記非給湯側循環通路の熱媒体の循環流量として決定する非給湯側循環流量決定手段が設けられている構成をもって課題を解決するための手段としている。
【００２７】
さらに、本第６の発明は、上記第３又は第４の発明の構成に加え、非給湯側単独運転中に、流量検出手段が流水オフを検出し、給湯熱交換器湯温検出手段の検出温度に対して流出湯温検出手段の検出温度が予め定められた温度以上高いことを検出したときには上記流量検出手段によって検出できない微量の漏れ給湯が生じていることを示す漏れ給湯発生信号を出力する漏れ給湯検出部を有し、循環流量補正手段は該漏れ給湯検出部から漏れ給湯発生信号が出力されたときには該漏れ給湯検出部により漏れ給湯が検出される前に非給湯側循環流量検出手段で検出した非給湯側循環通路の熱媒体の循環流量を予め与えられた補正データと給湯側漏れ流量検出手段の検出データとに基づいて補正する構成とした構成をもって課題を解決するための手段としている。
【００２８】
さらに、本第７の発明は、上記第１乃至第６の発明のいずれか１つの構成において、非給湯側循環通路は追い焚き循環通路とし、非給湯側熱交換器は追い焚き熱交換器とし、上記追い焚き循環通路を循環する熱媒体は湯水とし、非給湯側の運転は風呂の追い焚き運転とした構成をもって課題を解決するための手段としている。
【００２９】
一缶二水路風呂給湯器等の一缶二水路給湯器において、追い焚き運転等の非給湯側運転が行われるときには、給湯熱交換器の水管をバーナーの燃焼火炎によって加熱し、給湯熱交換器の水管内の水を熱媒体として給湯熱交換器に接している非給湯側熱交換器を加熱し、非給湯側熱交換器内を循環する熱媒体を加熱するために、非給湯側循環通路の熱媒体は給湯熱交換器の水管の熱を吸熱し、この吸熱によって非給湯側運転が行われる。したがって、非給湯側循環通路を循環する熱媒体の流量の違いによって前記吸熱の量に違いが生じ、それにより、非給湯側単独運転中に給湯熱交換器湯温検出手段によって検出される給湯熱交換器の検出湯温データが異なる。
【００３０】
上記構成の本発明においては、非給湯側単独運転中の給湯熱交換器の湯温データと非給湯側循環通路の熱媒体の温度に基づいて非給湯側循環通路の熱媒体の流量を求める流量検出データが予め与えられており、非給湯側循環流量検出手段は、この流量検出データと非給湯側単独運転中の給湯熱交換器湯温検出手段の検出温度と非給湯側温度検出手段の検出温度とに基づいて非給湯側循環通路の熱媒体の循環流量を検出する。
【００３１】
なお、非給湯側単独運転中の給湯熱交換器の湯温データは、上記の如く、非給湯側循環通路の熱媒体の流量により異なるものであるが、給湯熱交換器内に微量の漏れ給湯が生じていると、上記給湯熱交換器の湯温データは、この漏れ給湯の影響を受けて変動し、非給湯側循環通路の熱媒体の流量が大きくないにも拘わらず、非給湯側循環通路の熱媒体の流量が多いときのような湯温データとなる。そのため、この微量な漏れ給湯が生じていると、上記非給湯側循環流量検出手段により求める非給湯側循環通路の熱媒体の循環流量が実際の非給湯側循環通路の熱媒体の循環流量とは異なるものとなってしまう。
【００３２】
ところで、一缶二水路給湯器において、上記漏れ給湯が生じていない非給湯側単独運転中には、給湯熱交換器内に湯水が滞留していることから、給湯熱交換器の中央部から出口に渡る領域面の湯温はほぼ等しくなるが、給湯熱交換器内に微量の漏れ給湯が生じていると、給湯熱交換機の入口から給湯熱交換器の出口に至るまでに非給湯側燃焼によって漏れ給湯通水は加熱され、その微量な漏れ給湯流量の湯水が受け取る単位当たりの熱量は非常に多いので、給湯熱交換器の出口の湯温は給湯熱交換器の中央部の湯温よりもかなり高くなる。
【００３３】
そこで、本出願人は、非給湯側単独運転中に、上記微量の漏れ給湯が発生しているときには給湯熱交換器湯温検出手段の検出温度よりも流出湯温検出手段の検出温度が高くなることに着目し、漏れ給湯検出部により、流出湯温検出手段の検出温度に対して給湯熱交換器湯温検出手段の検出温度が予め定められた温度以上高いことを検出したときには微量の漏れ給湯が生じていると判断して漏れ給湯発生信号を出力するようにした。
【００３４】
そして、この信号が出力されたときには、例えば非給湯側循環流量決定手段により、漏れ給湯検出部により漏れ給湯が検出される前の非給湯側単独運転中に非給湯側循環流量検出手段が検出した流量を非給湯側循環通路の熱媒体の循環流量として決定することにより、たとえ漏れ給湯が生じても、この漏れ給湯に伴う非給湯側単独運転中の給湯熱交換器の湯温データの変動に基づき、非給湯側循環通路の熱媒体の流量を誤って求めるといったことを防ぐことが可能となり、非給湯側循環通路の熱媒体の流量を正確に求めることが可能となる。したがって、非給湯側循環通路の熱媒体の流れの有無も正確に求めることが可能となり、上記課題が解決される。
【００３５】
【発明の実施の形態】
以下、本発明の実施の形態を図面に基づいて説明する。なお、本実施形態例の一缶二水路給湯器は一缶二水路風呂給湯器であり、本実施形態例の説明において、従来例と同一名称部分には同一符号を付し、その重複説明は省略する。
【００３６】
本実施形態例の一缶二水路風呂給湯器は、図９に示した一缶二水路風呂給湯器とほぼ同様のシステム構成を有しているが、本実施形態例の一缶二水路風呂給湯器においては、追い焚き循環通路２４に流水スイッチ３６を設けずに給湯器を構成している。また、本実施形態例においては、給湯熱交換器３の湯温を検出する給湯熱交換器湯温検出手段としての図の破線に示す給湯熱交湯温センサ３３を給湯熱交換器３のＵ字管に設け、給湯熱交換器３から流れ出る湯の温度を検出する流出湯温検出手段としての図の鎖線に示す流出湯温センサ３９を、給湯熱交換器３の出側に設けており、さらに、制御装置４０に、図１に示すような本実施形態例の特有な制御構成を設けている。
【００３７】
図１に示すように、制御装置４０は、追い焚き燃焼強制開始手段４７、燃焼制御部４２、追い焚き単独運転監視部４３、漏れ給湯検出部４９、追い焚き単独運転燃焼制御部４５、追い焚き循環流量決定手段４６、データ格納部４４、追い焚き循環流量検出手段４８を有して構成されている。
【００３８】
燃焼制御部４２には、給湯や追い焚き等の様々な運転のシーケンスプログラムが与えられており、燃焼制御部４２はリモコン４１の情報や風呂温度センサ３７等のセンサ出力を取り込んで、それら取り込んだ情報とシーケンスプログラムに従って給湯器の燃焼運転動作を制御する。
【００３９】
追い焚き燃焼強制開始手段４７は、例えばリモコン４１等から追い焚き指示が与えられたときに、循環ポンプ２０を駆動させるともに、燃焼制御部４２にバーナー燃焼運転開始指令を加え、それにより、追い焚き循環通路２４の湯水の流れを検知せずにバーナー燃焼運転を直ちに開始させる。
【００４０】
追い焚き単独運転監視部４３は、上記燃焼制御部４２の運転情報を取り込み、この情報に基づき、例えば、循環ポンプ２０の駆動を検知している状態で給湯確認スイッチ３５又は水量センサ３１が通水を検知していないときには、器具が追い焚き単独運転をしていると検知し、それ以外のときには器具は追い焚き単独運転をしていないと検知する。
【００４１】
データ格納部４４には、バーナー燃焼を停止させる設定温度としてのオフ温度とバーナー燃焼を再開させる設定温度としてのオン温度が予め定められて格納されている。上記オフ温度は、例えば追い焚き単独運転中に給湯熱交換器３のピーク温度領域の滞留湯が沸騰に近い状態であることを示す予め定めた湯温（例えば、９０℃）になったときに給湯熱交湯温センサ３３により検出される湯温である。上記オン温度は、上記オフ温度よりも予め定めた温度（例えば、３℃）分だけ低下させた湯温である。
【００４２】
追い焚き単独運転燃焼制御部４５は、非給湯側単独運転燃焼制御部であり、時々刻々と、給湯熱交湯温センサ３３のセンサ出力を給湯熱交換器３の湯温として検出し、また、データ格納部４４のオン温度とオフ温度および追い焚き単独運転監視部４３の監視情報を時々刻々と取り込み、取り込まれた検出給湯熱交換器湯温を前記オフ温度に比較し、上記追い焚き単独運転監視部４３の監視情報に基づき追い焚き単独運転中であると検知しているときに、給湯熱交換器３の湯温がオフ温度以上になったと判断したときに、バーナー２の燃焼を停止させる必要があると判断し、電磁弁１０を閉弁させバーナー２の燃焼を停止させる。
【００４３】
また、追い焚き単独運転燃焼制御部４５はバーナー燃焼停止信号を燃焼制御部４２に出力する。燃焼制御部４２は上記バーナー燃焼停止信号を受け、バーナー２の燃焼停止が追い焚き単独運転制御によりなされたものであり、器具の異常ではないと判断し、循環ポンプ２０の駆動等の器具運転動作を継続して行う。このため、上記追い焚き単独運転中のバーナー２の停止期間に循環ポンプ２０の駆動は継続される。
【００４４】
さらに、追い焚き単独運転燃焼制御部４５は、追い焚き単独運転中のバーナー２の燃焼停止中にも引き続き給湯熱交湯温センサ３３のセンサ出力と、データ格納部４４のオフ温度およびオン温度との取り込みを行って、給湯熱交湯温センサ３３により検出される給湯熱交換器３の湯温を前記オン温度に比較し、給湯熱交換器３の湯温がオン温度以下に低下したと判断したときに、バーナー２の燃焼を再開させてもよいと判断し、点着火手段（図示せず）を用いてバーナー２の点着火を行いバーナー２の燃焼を再開させる。
【００４５】
前記データ格納部４４には、追い焚き単独運転中の給湯熱交換器３の湯温データと追い焚き循環通路２４の湯水温に基づいて追い焚き循環通路２４の湯水の循環流量を求める流量検出データが予め与えられている。このデータは、予め実験等により求めて与えられるものである。一缶二水路風呂給湯器においては、前記の如く、追い焚き循環通路２４の循環湯水が、給湯熱交換器３の水管内の湯水の熱を吸熱して追い焚き循環通路２４が行われるため、追い焚き循環通路２４の湯水循環流量によって追い焚き単独運転中の給湯熱交換器３の湯温データが異なり、また、追い焚き循環通路２４の湯水温によっても追い焚き単独運転中の給湯熱交換器の湯温データが異なることに着目し、追い焚き循環通路２４の湯水循環流量と湯水温とを様々に可変したときの追い焚き単独運転中の給湯熱交換器３の湯温データを実験等により求め、この実験データに基づいて前記流量検出データを与えている。
【００４６】
例えば、図２の（ａ）には、追い焚き循環通路２４の湯水循環流量がある流量（例えば４リットル／min）のときの追い焚き単独運転中の給湯熱交換器３の湯温データが示されており、同図に示すように、追い焚き循環通路２４の湯水循環流量がこの流量のときに、給湯熱交換器３の湯温データはほぼ正弦波に近い波形のデータとなるとすると、追い焚き循環通路２４の湯水循環流量がこの流量よりも少ないときには、前記吸熱量が少ないために、例えば図２の（ｂ）に示すように、バーナー燃焼によって給湯熱交換器３の湯温は急に上昇し、前記オフ温度に早く達する。そして、給湯熱交換器３の湯温がオフ温度以上になってバーナー燃焼が停止されるが、給湯熱交換器３の湯温は余熱により、前記温度上昇が急な分だけ高い温度まで上昇し、その後緩やかに下降していく。
【００４７】
その後、給湯熱交換器３の湯温が前記オン温度以下になると、バーナー燃焼が再開され、バーナー燃焼再開時から給湯熱交換器３の湯温上昇開始までの遅れ時間経過以降に、給湯熱交換器３の湯温が再び急に上昇していく。なお、追い焚き循環通路２４の湯水循環流量が少ないときは、前記の如く、バーナー燃焼停止時の給湯熱交換器３の湯温下降が緩やかなため、給湯熱交換器３の湯温がオン温度以下となってから給湯熱交換器３の湯温が低下する割合は、追い焚き循環通路２４の湯水循環流量が前記流量（４リットル／min）のときに比べて小さい。
【００４８】
したがって、図２の（ｂ）に示すように、追い焚き循環通路２４の湯水循環流量が前記流量（４リットル／ｍｉｎ）よりも小さいときには、この検出湯温データの波形の湯温上昇傾きθU1は、図２の（ａ）に示した湯温パターンの湯温上昇傾きθU0よりも大きくなり、図２の（ｂ）の検出湯温データの波形の湯温下降傾きはθD1は、図２の（ａ）に示した湯温パターンの湯温下降傾きθD0よりも小さくなる。
【００４９】
一方、追い焚き循環通路２４の湯水循環流量が前記基準流量よりも多いときには、追い焚き循環通路２４の循環湯水による給湯熱交換器３側からの吸熱量が多いために、給湯熱交換器３の湯温は、図３の特性線ａに示すように、バーナー燃焼によって緩やかに上昇し、バーナー燃焼が停止されると急に下降する。
【００５０】
したがって、同図に示すように、追い焚き循環通路２４の湯水循環流量が多いときには、この検出湯温データの波形の湯温上昇傾きθu2は、図２の（ａ），（ｂ）に示した湯温データの波形の湯温上昇傾きθu0，θu1よりも小さくなり、図３の検出湯温データの波形の湯温下降傾きθD2は、図２の（ａ），（ｂ）に示した湯温データの湯温下降傾きθD0，θD1よりも大きくなる。
【００５１】
また、追い焚き単独運転中の給湯熱交換器３の湯温データは、追い焚き循環通路２４の湯水循環流量のみならず、追い焚き循環通路２４の湯水温によっても異なるものである。例えば、図３の鎖線で示されている特性線ｂのデータは、追い焚き循環通路２４の湯水循環流量が、同図の実線で示した特性線ａの湯温データを得たときの追い焚き循環通路２４の湯水循環流量と同じ流量であり、追い焚き循環通路２４の湯水温が、特性線ａの湯温を得た場合よりも低いときの給湯熱交換器３の湯温データが示されているが、これらの特性線ａ，ｂから分かるように、追い焚き循環通路２４の湯水循環流量が同じであっても、湯水温が低いときには、追い焚き循環通路２４の循環湯水により給湯熱交換器３の水管内の湯水が奪われる熱量が大きいために、給湯熱交換器３の湯温データの湯温上昇傾きは小さくなり、湯温下降傾きは大きくなる。
【００５２】
そこで、本実施形態例では、データ格納部４４に与える上記流量検出データとして、例えば図４に示すように、追い焚き単独運転中の給湯熱交換器３の湯温データの湯温下降傾きと追い焚き循環通路２４の湯水循環流量との関係データを、追い焚き循環通路２４の湯水温に対応させて与えている。なお、図４において、Ｔ1，Ｔ2，Ｔ3は追い焚き循環通路２４の湯水温を示し、Ｔ3＜Ｔ2＜Ｔ1である。
【００５３】
追い焚き循環流量検出手段４８は、上記流量検出データと、追い焚き単独運転中の給湯熱交湯温センサ３３の検出温度と、風呂温度センサ３７の検出温度とに基づいて、追い焚き循環通路２４の湯水循環流量を検出するものである。追い焚き循環流量検出手段４８は、給湯熱交湯温センサ３３の検出温度と風呂温度センサ３７の検出温度とを時々刻々と取り込み、また、これらの検出温度と、データ格納部４４に格納されている上記流量検出データとに基づいて、例えば、給湯熱交湯温センサ３３の検出温度から求められる湯温下降傾きθDが図４のＡの値であり、このときの風呂温度センサ３７の検出温度がＴ1のときには、追い焚き循環通路２４の湯水循環流量がＱ1であると検出し、前記湯温下降傾きθDがＡの値であり、風呂温度センサ３７の検出温度がＴ2のときには、追い焚き循環通路２４の湯水循環流量がＱ2であると検出する。
【００５４】
漏れ給湯検出部４９は、前記追い焚き単独運転監視部４３の監視情報を取り込み、該監視情報に基づき追い焚き単独運転中であると検知しているときに、水量センサ３１が検出している流量と、給湯熱交湯温検出センサ３３が検出した湯水温度と、流出湯温センサ３９が検出した湯水温度とを時々刻々と取り込み、上記取り込んだ給湯熱交湯温検出センサ３３の検出温度と流出湯温センサ３９の検出温度とを比較し、水量センサ３１が流量を検出していないときに（流水オフを検出しているときに）、上記流出湯温センサ３９の検出温度が給湯熱交湯温検出センサ３３の検出温度よりも予め定めた温度（例えば、３℃）以上高いときには、水量センサ３１によって検出できない漏れ給湯（例えば、１．０リットル／min未満の漏れ給湯）が生じていると判断する。
【００５５】
それというのは、漏れ給湯がない追い焚き単独運転中には、給湯熱交換器３内に湯水が滞留しているので、流出湯温センサ３９の検出温度は給湯熱交湯温検出センサ３３の検出温度とほぼ等しいが、追い焚き単独運転中に漏れ給湯が生じているときには、給湯熱交換器３の漏れ給湯通水は給湯熱交湯温検出センサ３３の配設位置から給湯熱交換器３の出口に至るまでに追い焚き燃焼によって加熱され、その微量な漏れ給湯通水が受け取る単位流量当りの熱量は非常に多いので、流出湯温センサ３９の検出温度は給湯熱交湯温検出センサ３３の検出温度よりもかなり高くなるから、流出湯温センサ３９の検出湯温が給湯熱交湯温検出センサ３３の検出湯温よりも予め定めた温度以上高いときには漏れ給湯が発生していると判断することができるのである。
【００５６】
漏れ給湯検出部４３は、上記の如く、水量センサ３１の検出流量および、流出湯温センサ３９の検出温度に対する給湯熱交湯温検出センサ３３の検出温度の差分に基づいて、漏れ給湯が発生していると判断したときには、漏れ給湯発生信号を出力し、追い焚き循環流量決定手段４６に加える。
【００５７】
追い焚き循環流量決定手段４６は、漏れ給湯検出部４９から漏れ給湯発生信号が出力されたときには、漏れ給湯検出部４９により漏れ給湯が検出される前の追い焚き単独運転中に追い焚き循環流量検出手段４８が検出した流量を、追い焚き循環通路２４の湯水の循環流量として決定するものである。追い焚き循環流量決定手段４６は、この決定した追い焚き循環通路２４の湯水循環流量を燃焼制御部４２に加える。
【００５８】
本実施形態例は以上のように構成されており、本実施形態例でも燃焼制御部４２の制御によって、給湯燃焼運転、追い焚き燃焼運転等が行われるが、本実施形態例では、追い焚き燃焼強制開始手段４７が設けられており、例えばリモコン４１から追い焚き指令が与えられたときには、循環ポンプ２０が駆動されるとともに、従来行われていた流水スイッチ３６による追い焚き循環通路２４の流水検知なしに追い焚き燃焼が開始される。そして、追い焚き単独運転中には追い焚き単独運転燃焼制御部４５によって、前記の如く、給湯熱交湯温センサ３３の検出温度と前記オフ温度とオン温度に基づき、バーナー２の燃焼オン・オフ制御が行われる。
【００５９】
また、追い焚き単独運転中には、追い焚き循環流量検出手段４８により、給湯熱交湯温センサ３３の検出温度と風呂温度センサ３７の検出温度の取り込みが行われ、これらの検出温度データとデータ格納部４４に格納されている、例えば図４に示したグラフデータ等の前記流量検出データとに基づいて、追い焚き循環通路２４の湯水循環流量の検出が行われる。
【００６０】
さらに、追い焚き単独運転中には、漏れ給湯検出部４９により、水量センサ３１のセンサ出力と流量湯温センサ３９により検出される検出温度と、給湯熱交湯温センサ３３により検出される検出温度との取り込みが行われ、前記の如く、水量センサ３１が流水オフを検出し、給湯熱交湯温センサ３３の検出温度に対して流出湯温センサ３９の検出温度が予め定められた温度以上高いときには、水量センサ３１によって検出できない微量の漏れ給湯が生じていると判断し、このことを示す漏れ給湯発生信号を出力する。
【００６１】
そして、漏れ給湯検出部４９から漏れ給湯発生信号が出力されたときには、追い焚き循環流量決定手段４６は、その漏れ給湯発生信号を受けて、このときに追い焚き循環流量検出手段４８で検出した追い焚き循環通路２４の湯水循環流量の値をキャンセルし、漏れ給湯検出部４９により漏れ給湯が検出される前の追い焚き単独運転中に、追い焚き循環流量検出手段４８が検出した流量を追い焚き循環通路２４の湯水循環流量と決定し、燃焼制御部４２に加える。そうすると、燃焼制御部４２は、この追い焚き循環通路２４の湯水循環流量に基づき、例えば、給湯と追い焚きの同時燃焼時のバーナー２の燃焼熱量制御等を行う。
【００６２】
本実施形態例によれば、以上のように、追い焚き循環流量検出手段４８により、追い焚き単独運転中に給湯熱交湯温センサ３３により検出される検出温度に基づいて、追い焚き循環通路２４の循環流量を検出するために、たとえ追い焚き循環通路２４内に髪等ゴミが含まれていたとしても、髪等のゴミに左右されることなく、追い焚き循環通路２４の湯水循環流量を正確に検出することができる。
【００６３】
なお、水量センサ３１によって検出できない微量の漏れ給湯が生じているときには、この漏れ給湯に伴い、追い焚き単独運転中の給湯熱交湯温センサ３３の検出湯温データに変化が生じ、給湯熱交湯温センサ３３の検出湯温データが追い焚き循環通路２４の湯水循環流量に対応したデータとならないために、この給湯熱交湯温センサ３３の検出湯温データに基づいて追い焚き循環通路２４の湯水循環流量を検出すると、誤った値を検出してしまうことになる。
【００６４】
本実施形態例は、このようなことを考慮し、漏れ給湯検出部４９を設けて前記微量の漏れ給湯を検出し、漏れ給湯検出部４９により漏れ給湯が検出されたときには、このときの追い焚き単独運転中に追い焚き循環流量検出手段４８が検出した流量をキャンセルし、漏れ給湯検出部４９により漏れ給湯が検出される前の追い焚き単独運転中に追い焚き循環流量検出手段４８が検出した流量を追い焚き循環通路２４の湯水循環流量として決定するために、たとえ漏れ給湯が生じたとしても、この漏れ給湯に起因した追い焚き循環通路２４の湯水循環流量の誤検出を行うことはなく、常に正確に追い焚き循環通路２４の湯水循環流量を検出することができる。
【００６５】
さらに、本実施形態例によれば、追い焚き単独運転燃焼制御部４５によって、前記の如く、前記オフ温度とオン温度に基づいてバーナー２の燃焼オン・オフ制御を行うために、例えば追い焚き循環通路２４の湯水の流れがないときにはバーナー燃焼によって給湯熱交換器３の湯温が急激に上昇し、前記オフ温度に達してすぐにバーナー燃焼停止が行われ、その後、給湯熱交換器３の湯温がオン温度以下にはなかなか下がらないために、給湯熱交換器３の湯温がオフ温度以上になった以降に引き続きバーナー燃焼が行われることはなく、追い焚き熱交換器側の空焚きを防止することができる。
【００６６】
そのため、比較的故障しやすい流水スイッチ３６を省略し、流水スイッチ３６による流水検知に左右されることなく追い焚き運転を行うことが可能となり、流水スイッチ３６の故障による不具合をなくすことができる。また、流水スイッチ３６を省略して給湯器を構成することにより、その分だけ給湯器のシステム構成を簡略化することが可能となり、コストダウンを図ることができる。
【００６７】
次に、本発明に係る一缶二水路給湯器の第２実施形態例について説明する。本実施形態例の一缶二水路給湯器も上記第１実施形態例と同様に一缶二水路風呂給湯器であり、上記第１実施形態例と同様のシステム構成を有している。また、図５には、本実施形態例の特有な制御構成が示されており、同図において、図１に示した上記第１実施形態例の制御構成と同一名称部分には同一符号が付してある。
【００６８】
図５に示すように、本実施形態例の一缶二水路風呂給湯器の制御装置４０は、追い焚き燃焼強制開始手段４７、燃焼制御部４２、追い焚き単独運転監視部４３、漏れ給湯流量検出部５９、追い焚き単独運転燃焼制御部４５、追い焚き循環流量補正手段５０、データ格納部４４、追い焚き循環流量検出手段４８を有して構成されている。
【００６９】
追い焚き強制開始手段４７、燃焼制御部４２、追い焚き単独運転監視部４３、追い焚き単独運転燃焼制御部４５の構成および動作は、上記第１実施形態例と同様であるので、その重複説明は省略する。
【００７０】
データ格納部４４には、上記第１実施形態例と同様のオフ温度およびオン温度が与えられている。また、データ格納部４４には、給湯熱交湯温センサ３３の検出温度と流出湯温センサ２９の検出温度との温度差に基づき、前記漏れ給湯流量を求めるための漏れ給湯流量検出データが予め与えられている。このデータは、例えば、図６に示すような、給湯熱交湯温センサ３３の検出温度に対する流出湯温センサ３９の検出温度の差分ΔＴと、漏れ給湯流量との関係を示すグラフデータや、表データ、演算データ等であり、これらは、予め実験や演算等により求められてデータ格納部４４に格納されている。
【００７１】
漏れ給湯流量検出部５９は、追い焚き単独運転中に、水量センサ３１が流水オフを検出している状態で検出される、流出湯温センサ３９の検出温度と給湯熱交湯温センサ３３の検出温度との温度差と、上記漏れ給湯流量検出データとに基づいて漏れ給湯流量を検出するものである。漏れ給湯流量検出部５９は、追い焚き単独運転中に、流出湯温センサ３９の検出温度と給湯熱交湯温センサ３３の検出温度とを取り込み、給湯熱交湯温センサ３３の検出温度に対する流出湯温センサ３９の検出温度の差分ΔＴを求め、この求めた差分ΔＴを上記流量検出データに照らし合わせ、この温度差分ΔＴに対応した漏れ給湯流量を検出し、この値を追い焚き循環流量補正手段５０に加える。
【００７２】
前記データ格納部４４には、漏れ給湯流量に基づいて追い焚き循環通路２４の湯水循環流量を補正する補正データが予め与えられている。この補正データは、予め実験等により求めて与えられるものであり、例えば、図７に示すような、漏れ給湯流量と補正係数との関係データ等により与えられる。この関係データは、図７に示すようなグラフデータや、表データ、演算データ等によって与えられる。
【００７３】
追い焚き循環流量補正手段５０は、漏れ給湯流量検出部５９から加えられる漏れ給湯流量の値を受けて、この値と、データ格納部４４に格納されている上記補正データとに基づいて、追い焚き循環流量検出手段４８で検出した追い焚き循環通路２４の湯水循環流量を補正するものである。具体的には、追い焚き循環流量補正手段５０は、漏れ給湯流量検出部５９で検出した漏れ給湯流量の値と、例えば図７に示すような補正データとに基づいて補正係数を求め、追い焚き循環流量検出手段４８で検出した追い焚き循環通路２４の湯水循環流量の値にこの補正係数をかけて追い焚き循環通路２４の湯水循環流量を補正する。そして、この補正した値を燃焼制御部４２に加える。
【００７４】
本実施形態例は以上のように構成されており、本実施形態例も上記第１実施形態例とほぼ同様に動作するが、本実施形態例では、漏れ給湯流量検出部５９が設けられており、給湯熱交換器３側に微量の漏れ給湯が生じているか否かを検出するだけではなく、微量な漏れ給湯が生じているときにはその漏れ給湯流量を検出し、この漏れ給湯流量と、前記補正データとに基づいて、追い焚き循環流量補正手段５０により、追い焚き循環流量検出手段４８で検出した追い焚き循環通路２４の湯水循環流量を補正する。そして、この補正した値を燃焼制御部４２に加え、燃焼制御部４２は、追い焚き循環流量補正手段５０から加えられる追い焚き循環通路２４の湯水循環流量の補正値に基づいて、例えば、給湯と追い焚きの同時燃焼時のバーナー２の燃焼制御等を行う。
【００７５】
本実施形態例によれば、上記動作により上記第１実施形態例と同様の効果を奏することができる。
【００７６】
また、本実施形態例では、上記動作により、漏れ給湯流量検出部５９によって、漏れ給湯流量を検出し、この漏れ給湯流量に基づいて、追い焚き循環流量検出手段４８で検出した追い焚き循環通路２４の湯水循環流量を補正するために、たとえ追い焚き単独運転中に微量の漏れ給湯が生じたとしても、この漏れ給湯流量に基づいて追い焚き循環通路２４の湯水循環流量を補正することにより、追い焚き循環通路２４の湯水循環流量をより一層正確に検出することが可能となり、この検出した追い焚き循環通路２４の湯水循環流量の値に基づいて燃焼制御部４２により燃焼制御を行うことにより、より一層的確に給湯と追い焚きの同時燃焼時のバーナー２の燃焼制御等を行うことができる。
【００７７】
図８には、本発明に係る一缶二水路給湯器の第３実施形態例の制御部要部構成が示されている。本実施形態例も上記第１、第２実施形態例同様のシステム構成を有する一缶二水路風呂給湯器であり、図８において、上記第１および第２実施形態例と同一名称部分には同一符号が付してある。
【００７８】
本実施形態例は上記第２実施形態例とほぼ同様に構成されており、本実施形態例が上記第２実施形態例と異なる特徴的なことは、追い焚き循環流量決定手段４６を設け、この追い焚き循環流量決定手段４６により追い焚き循環通路２４の湯水循環流量を決定するようにしたことである。
【００７９】
すなわち、追い焚き循環流量補正手段５０により補正した追い焚き循環通路２４の湯水循環流量を燃焼制御部４２に加えずに、この補正した値を追い焚き循環流量決定手段４６に加え、追い焚き循環流量決定手段４６は、追い焚き循環流量補正手段５０で補正した追い焚き循環通路２４の湯水循環流量を補正循環流量とする。そして、追い焚き循環流量決定手段４６は、この補正循環流量を、漏れ給湯が検出される前の追い焚き単独運転中に追い焚き循環流量検出手段４８で検出した追い焚き循環通路２４の湯水循環流量検出値と比較し、この循環流量検出値と上記補正循環流量との差が、データ格納部４４に予め与えられた流量差以内のときには、補正循環流量を追い焚き循環通路２４の湯水循環流量として決定する。
【００８０】
一方、上記循環流量検出値と補正循環流量との差が上記流量差よりも大きいときには、上記循環流量検出値、すなわち、漏れ給湯が検出される前の追い焚き単独運転中に追い焚き循環流量検出手段４８が検出した追い焚き循環通路２４の湯水循環流量の値を追い焚き循環通路２４の湯水循環流量として決定する。追い焚き循環流量決定手段４６は、この決定したいずれかの循環流量の値を燃焼制御部４２に加える。
【００８１】
本実施形態例は以上のように構成されており、本実施形態例も上記第２実施形態例とほぼ同様に動作し、同様の効果を奏することができる。
【００８２】
なお、本発明は上記各実施形態例に限定されることはなく、様々な実施の態様を採り得る。例えば、上記各実施形態例では、追い焚き循環流量検出手段４８は、図４に示したような、追い焚き単独運転中の給湯熱交湯温センサ３３の検出湯温データにおける湯温下降傾きθDと追い焚き循環通路２４の湯水循環流量との関係データに基づいて追い焚き循環通路２４の湯水循環流量を検出するようしたが、追い焚き循環流量検出手段４８は、例えば、追い焚き単独運転中の給湯熱交湯温センサ３３の検出湯温データにおける湯温上昇傾きθuと追い焚き循環通路２４の湯水循環流量との関係データに基づいて追い焚き循環通路２４の湯水循環流量を検出してもよい。
【００８３】
このように、追い焚き循環流量検出手段４８による追い焚き循環通路２４の湯水循環流量検出方法は特に限定されるものではなく、適宜設定されるものであり、追い焚き単独運転中の給湯熱交換器の湯温データと追い焚き循環通路２４の湯水温に基づいて追い焚き循環通路２４の湯水循環流量を求める流量検出データと、追い焚き単独運転中の給湯熱交湯温センサ３３の検出温度と風呂温度センサ３７の検出温度とに基づいて追い焚き循環通路２４の湯水循環流量を検出するようにすればよい。
【００８４】
また、上記第２実施形態例では、漏れ給湯流量検出部５９によって漏れ給湯が検出されたときには、このときの追い焚き循環流量検出手段４８で検出した追い焚き循環通路２４の湯水循環流量検出値を、追い焚き循環流量補正手段５０により補正するようにしたが、上記第１実施形態例と同様の漏れ給湯検出部４９を設け、追い焚き循環流量補正手段５０は、漏れ給湯検出部４９から漏れ給湯発生信号が出力されたときには、漏れ給湯検出部により漏れ給湯が検出される前に追い焚き循環流量検出手段４８で検出した追い焚き循環通路２４の湯水循環流量を補正するようにしてもよい。
【００８５】
また、上記実施形態例では、追い焚き指示が与えられたときに、追い焚き燃焼強制開始手段４７により、循環ポンプ２０を直接駆動させたが、例えば追い焚き燃焼強制開始手段４７により燃焼制御部４２にポンプ駆動指令を加え、この指令によって、燃焼制御部４２により循環ポンプ２０を駆動させるようにしてもよい。
【００８６】
さらに、上記実施形態例では、追い焚き燃焼強制開始手段４７を設け、リモコン４１から追い焚き指示が加えられたときに、循環ポンプ２０を駆動させるとともに、追い焚き循環通路２４の流れを検知せずにバーナー燃焼運転を直ちに開始させるようにしたが、追い焚き燃焼強制開始手段４７は省略することもできる。
【００８７】
さらに、上記実施形態例では、追い焚き単独運転燃焼制御部４５は、追い焚き単独運転中に給湯熱交湯温センサ３３により検出される給湯熱交換器３の湯温がオフ温度以上になったときにはバーナー２の燃焼を停止させ、給湯熱交換器３の湯温がオン温度以下になったときにはバーナー２の燃焼を再開させるようにしたが、追い焚き単独運転燃焼制御部４５は、前記給湯熱交換器３の湯温がバーナー燃焼能力を低下させる設定温度以上になったときにはバーナー２の燃焼能力を低下させ、給湯熱交換器３の湯温がバーナー燃焼能力を増加させる設定温度以下になったときにはバーナー２の燃焼能力を増加させるようにしてもよい。
【００８８】
さらに、上記実施形態例では、給湯熱交換器３の湯温を給湯熱交湯温センサ３３から直接的に検出していたが、上記給湯熱交換器３の湯温は排気温度に基づき間接的に検出することが可能であることから、排気温度と給湯熱交換器３の湯温との関係データを予め実験や演算等により求めて与えておき、その関係データと排気温度によって給湯熱交換器３の湯温を間接的に検出する給湯熱交換器湯温検出手段を設けるようにしてもよい。より望ましくは、上記関係データと排気温度に基づき検出した給湯熱交換器湯温を、風呂温度センサ３７により検出される追い焚き循環通路の湯温や、予め定まる追い焚き循環湯量や、給気温度を考慮して補正することによって、より正確な給湯熱交換器３の湯温を検出することが可能である。
【００８９】
さらに、上記実施形態例では、流水スイッチ３６を省略したが、流水スイッチ３６を設けて一缶二水路風呂給湯器を構成しても構わない。
【００９０】
さらに、上記実施形態例では、流量検出センサとして、給湯熱交換器３の通水流量を直接的に検出する水量センサ３１を設けて給湯器の流量検出手段を構成したが、流量検出センサは水量センサ３１とは限らず、例えば給湯熱交換器３の通水流量を間接的に検出するセンサとしてもよい。
【００９１】
さらに、上記各実施形態例は図９に示す一缶二水路風呂給湯器を例にして説明したが、一缶二水路タイプで、給湯熱交換器の湯温を検出する給湯熱交換器湯温検出手段が設けられ、給湯機能と追い焚き機能を備えている一缶二水路風呂給湯器であれば、この発明を適用することができる。
【００９２】
さらに、本発明は一缶二水路風呂給湯器のみならず、給湯熱交換器と、非給湯側循環通路に組み込まれ上記非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられている、例えば、図１０に示すような給湯暖房機等の一缶二水路給湯器にも適用できる。
【００９３】
【発明の効果】
本発明によれば、非給湯側単独運転中の給湯熱交換器の湯温データと非給湯側循環通路の熱媒体の温度に基づいて非給湯側循環通路の熱媒体の流量を求める流量検出データを予め与え、この流量検出データと非給湯側単独運転中の給湯熱交換器湯温検出手段の検出温度と非給湯側温度検出手段の検出温度とに基づいて、非給湯側循環流量検出手段によって非給湯側循環通路の熱媒体の循環流量を検出するようにしたものであるから、追い焚き循環通路等の非給湯側循環通路の熱媒体に髪等のゴミが含まれていたとしても、これらのゴミに左右されることなく正確に非給湯側循環通路の熱媒体の流量を検出することが可能となり、それにより、熱媒体の流れの有無も正確に検出することができる。
【００９４】
また、非給湯側単独運転中に、例えば流量検出手段により検出できない微量の漏れ給湯が生じていると、上記非給湯側単独運転中の給湯熱交換器の湯温が非給湯側循環通路の熱媒体の流量に対応した湯温データと異なり、非給湯側循環通路の熱媒体の流量が多いときの湯温データとなってしまうために、本発明によれば、上記微量の漏れ給湯が生じていることを漏れ給湯検出部により検出し、この漏れ給湯が生じているときには、例えば本第１、第２の発明においては、漏れ給湯検出部により、漏れ給湯が検出される前の非給湯側単独運転中に非給湯側循環流量検出手段が検出した流量を非給湯側循環通路の熱媒体の循環流量として決定するために、たとえ非給湯側単独運転中に微量な漏れ給湯が生じたとしても、この漏れ給湯に伴い変化する給湯熱交換器の湯温データに基づいて、非給湯側循環通路の流量検出を誤ることなく、非給湯側循環通路の熱媒体の流量を正確に検出することができる。
【００９５】
また、本第３〜第６の発明においても、上記本第１、第２の発明と同様に、漏れ給湯を検出し、さらに、この漏れ給湯流量を検出する漏れ給湯流量検出手段を設け、漏れ給湯流量検出手段により検出した漏れ給湯に基づいて、漏れ給湯が発生したときの非給湯側循環流量検出手段で検出した非給湯側循環通路の熱媒体の循環流量を補正したり、漏れ給湯が検出される前の非給湯側単独運転中に非給湯側循環流量検出手段で検出した非給湯側循環通路の熱媒体の流量を補正したりすることにより、上記第１、第２の発明と同様の効果を奏することができる。
【００９６】
以上のように、本第１〜第６の発明によれば、非給湯側循環通路を循環する熱媒体の流量を、非給湯側単独運転中の漏れ給湯の有無に拘わらず、正確に検出することができるために、例えば検出した流量に基づいて、非給湯側熱交換器側と、給湯熱交換器側の吸熱比率を正確に求めることが可能となり、求めた吸熱比率に基づいて、非給湯側燃焼と給湯燃焼の同時燃焼時における燃焼制御を的確に行えるようにすることができる。
【００９７】
さらに、非給湯側循環通路は追い焚き循環通路とし、非給湯側熱交換器は追い焚き熱交換器とし、上記追い焚き循環通路を循環する熱媒体は湯水とし、非給湯側の運転は風呂の追い焚き運転とした本第７の発明によれば、上記優れた効果を奏する一缶二水路風呂給湯器を提供することができる。
【図面の簡単な説明】
【図１】本発明に係る一缶二水路給湯器の第１実施形態例の制御構成を示すブロック図である。
【図２】一缶二水路風呂給湯器において、追い焚き循環通路の湯水循環流量の違いにより異なる追い焚き単独運転中の給湯熱交換器の湯温データの違いを示すグラフである。
【図３】一缶二水路風呂給湯器において、追い焚き循環通路の湯水循環流量が多いときの追い焚き単独運転中の給湯熱交換器の湯温データを、追い焚き循環通路の湯水温の違いにより比較して示すグラフである。
【図４】上記実施形態例に与えられる追い焚き循環通路の湯水循環流量を求めるための流量検出データの一例を示すグラフである。
【図５】本発明に係る一缶二水路給湯器の第２実施形態例の制御構成を示すブロック図である。
【図６】上記第２実施形態例の一缶二水路給湯器に与えられる給湯熱交湯温センサと流出湯温センサの温度差分ΔＴと漏れ給湯流量との関係データの一例を示すグラフである。
【図７】上記第２実施形態例に与えられる追い焚き循環通路の湯水循環流量の補正データの一例を示すグラフである。
【図８】本発明に係る一缶二水路給湯器の第３実施形態例の制御構成を示すブロック図である。
【図９】一缶二水路給湯器としての一缶二水路風呂給湯器のモデル例を示すシステム構成図である。
【図１０】一缶二水路給湯器である給湯暖房機のモデル例の要部構成を示すシステム図である。
【符号の説明】
３３  給湯熱交湯温センサ
３７  風呂温度センサ
３９  流出湯温センサ
４４  データ格納部
４６  追い焚き循環流量決定手段
４８  追い焚き循環流量検出手段
４９  漏れ給湯検出部
５０  追い焚き循環流量補正手段
５９  漏れ給湯流量検出部
【図１】
0003778678.tif 000002
【図２】
0003778678.tif 000003
【図３】
0003778678.tif 000004
【図４】
0003778678.tif 000005
【図５】
0003778678.tif 000006
【図６】
0003778678.tif 000007
【図７】
0003778678.tif 000008
【図８】
0003778678.tif 000009
【図９】
0003778678.tif 000010
【図１０】
0003778678.tif 000011